(57)【要約】【課題】検知した各フォルトの対応状況を容易に確認できるようにする。【解決手段】フォルト状況設定部２３が、フォルト状況設定操作に応じて入力された、個々のフォルトへの対応作業の状況を示す対応状況を、記憶部１４のフォルト履歴情報に設定し、フォルト履歴表示部２４が、記憶部１４のフォルト履歴情報を画面表示する際、フォルトごとに当該フォルトの対応状況をそれぞれ表示する。【選択図】  図１
2014038400.tif 000002
【特許請求の範囲】
【請求項１】
施設内の各設備から取得した計測値データに基づいて、前記施設におけるフォルト発生を検知するフォルト検知装置であって、
検知したフォルトごとに、当該フォルトの内容を示すフォルト履歴情報を記憶する記憶部と、
前記フォルト履歴情報を画面表示するフォルト履歴表示部と、
フォルト状況設定操作に応じて入力された、個々のフォルトへの対応作業の状況を示す対応状況を、前記フォルト履歴情報に設定するフォルト状況設定部とを備え、
前記フォルト履歴表示部は、前記フォルト履歴情報を画面表示する際、フォルトごとに当該フォルトの対応状況をそれぞれ表示する
ことを特徴とするフォルト検知装置。
【請求項２】
請求項１に記載のフォルト検知装置において、
前記フォルト履歴情報に登録されている各フォルトの発生日時に基づいて、フォルトごとに当該フォルトの検知からの経過時間を計算する経過時間計算部をさらに備え、
前記フォルト履歴表示部は、前記フォルト履歴情報を画面表示する際、フォルトごとに当該フォルトの経過時間を表示する
ことを特徴とするフォルト検知装置。
【請求項３】
請求項１に記載のフォルト検知装置において、
前記フォルト履歴情報に登録されている各フォルトの発生日時に基づいて、フォルトごとに当該フォルトの発生からの経過時間を計算する経過時間計算部と、
前記フォルト履歴情報に登録されている各フォルトのうち、対応状況が未対応を示すフォルトであって、かつ、当該フォルトの前記経過時間が警報しきい値時間に到達したフォルトについて、フォルト対応忘れを通知するための警報画面を表示するフォルト対応忘れ通知部と
をさらに備えることを特徴とするフォルト検知装置。
【請求項４】
施設内の各設備から取得した計測値データに基づいて、前記施設におけるフォルト発生を検知するフォルト検知装置で用いられるフォルト状況表示方法であって、
記憶部が、検知したフォルトごとに、当該フォルトの内容を示すフォルト履歴情報を記憶する記憶ステップと、
フォルト履歴表示部が、前記フォルト履歴情報を画面表示するフォルト履歴表示ステップと、
フォルト状況設定部が、フォルト状況設定操作により設定された対象フォルトに関する対応状況を、前記フォルト履歴情報に設定するフォルト状況設定ステップとを備え、
前記フォルト履歴表示ステップは、前記フォルト履歴情報を画面表示する際、フォルトごとに当該フォルトの対応状況を表示する
ことを特徴とするフォルト状況表示方法。
【発明の詳細な説明】
【技術分野】
【０００１】
本発明は、施設管理技術に関し、特に施設から検知したフォルトへの対応状況を画面表示するフォルト状況表示技術に関する。
【背景技術】
【０００２】
近年、省エネルギーに対する意識の高まりに応じて、施設における非合理なエネルギー消費状態を回避するため、このような非合理なエネルギー消費状態をフォルトとして検知するフォルト検知装置の導入が進められている（例えば、特許文献１など参照）。
【０００３】
このようなフォルト検知装置では、予め定めた診断パラメータに基づいて、設備に設定されている各管理ポイントからデータを取得し、これらデータを集計して予め定めたフォルト検知ロジックに基づきフォルト発生の有無を判定する。この際、フォルト検知は、日、週、あるいは月ごとに定期的に実行されて、その検知結果がフォルト履歴情報として登録されて、画面表示される。また、フォルトが検知された場合には、警報表示によりフォルト解消のための作業を、設備管理者に促すものとなっている。
【先行技術文献】
【特許文献】
【０００４】
【特許文献１】特許第４８７３９８５号公報
【発明の概要】
【発明が解決しようとする課題】
【０００５】
施設で発生するフォルトは、緊急性の高い障害ではなく、非合理なエネルギー消費状態など、比較的緊急性が低いものが多く、またフォルトが解消されるまでにある程度の期間を要するものが多い。例えば、ビルの空調システムで発生する、非合理なエネルギー消費状態からなるフォルトの場合、空調機の制御を見直すなど、広範囲で対策が必要となるため、フォルト解消までに期間を要することになる。このため、フォルト検知を定期的に実行した場合、同一のフォルトが繰り返し検知される場合がある。
【０００６】
しかしながら、前述した従来技術では、フォルト検知を実行するごとに、検知したフォルトが警報表示されるため、設備管理者がフォルト発生をすでに確認し、さらにはフォルト解消のための作業を開始している場合でも、同一のフォルトが繰り返し検知されて、警報表示されることになる。したがって、例えば新規に発生した未確認フォルトと既に確認した確認済フォルトとが、混在して画面表示されるため、未確認フォルトと確認済フォルトとを容易に見分けることができず、設備管理者による作業効率の低下や作業ミスの要因となるという問題点があった。
【０００７】
本発明はこのような課題を解決するためのものであり、検知した各フォルトの対応状況を容易に確認できるフォルト状況表示技術を提供することを目的としている。
【課題を解決するための手段】
【０００８】
このような目的を達成するために、本発明にかかるフォルト検知装置は、施設内の各設備から取得した計測値データに基づいて、前記施設におけるフォルト発生を検知するフォルト検知装置であって、検知したフォルトごとに、当該フォルトの内容を示すフォルト履歴情報を記憶する記憶部と、前記フォルト履歴情報を画面表示するフォルト履歴表示部と、フォルト状況設定操作に応じて入力された、個々のフォルトへの対応作業の状況を示す対応状況を、前記フォルト履歴情報に設定するフォルト状況設定部とを備え、前記フォルト履歴表示部は、前記フォルト履歴情報を画面表示する際、フォルトごとに当該フォルトの対応状況をそれぞれ表示するようにしたものである。
【０００９】
また、上記フォルト検知装置にかかる一構成例は、前記フォルト履歴情報に登録されている各フォルトの発生日時に基づいて、フォルトごとに当該フォルトの検知からの経過時間を計算する経過時間計算部をさらに備え、前記フォルト履歴表示部は、前記フォルト履歴情報を画面表示する際、フォルトごとに当該フォルトの経過時間を表示するようにしたものである。
【００１０】
また、上記フォルト検知装置にかかる一構成例は、前記フォルト履歴情報に登録されている各フォルトの発生日時に基づいて、フォルトごとに当該フォルトの発生からの経過時間を計算する経過時間計算部と、前記フォルト履歴情報に登録されている各フォルトのうち、対応状況が未対応を示すフォルトであって、かつ、当該フォルトの前記経過時間が警報しきい値時間に到達したフォルトについて、フォルト対応忘れを通知するための警報画面を表示するフォルト対応忘れ通知部とをさらに備えるものである。
【００１１】
また、本発明にかかるフォルト状況表示方法は、施設内の各設備から取得した計測値データに基づいて、前記施設におけるフォルト発生を検知するフォルト検知装置で用いられるフォルト状況表示方法であって、記憶部が、検知したフォルトごとに、当該フォルトの内容を示すフォルト履歴情報を記憶する記憶ステップと、フォルト履歴表示部が、前記フォルト履歴情報を画面表示するフォルト履歴表示ステップと、フォルト状況設定部が、フォルト状況設定操作により設定された対象フォルトに関する対応状況を、前記フォルト履歴情報に設定するフォルト状況設定ステップとを備え、前記フォルト履歴表示ステップは、前記フォルト履歴情報を画面表示する際、フォルトごとに当該フォルトの対応状況を表示するようにしたものである。
【発明の効果】
【００１２】
本発明によれば、設備管理者は、フォルト履歴画面において、各フォルトの対応状況、例えば未確認フォルトか確認済フォルトか、あるいは未対応フォルトか対応中フォルトかを容易に確認することができる。したがって、各フォルトの対応状況を容易に見分けることができ、設備管理者による作業効率を改善できるとともに、作業ミスの要因を低減させることができ、信頼性の高い設備管理業務を実施することが可能となる。
【図面の簡単な説明】
【００１３】
【図１】第１の実施の形態にかかるフォルト検知装置の構成を示すブロック図である。
【図２】フォルト履歴情報の構成例である。
【図３】第１の実施の形態にかかるフォルト検知処理処理を示すフローチャートである。
【図４】第１の実施の形態にかかるフォルト履歴画面の表示例である。
【図５】第２の実施の形態にかかるフォルト検知装置の構成を示すブロック図である。
【図６】第２の実施の形態にかかるフォルト履歴画面の表示例である。
【図７】第３の実施の形態にかかるフォルト検知装置の構成を示すブロック図である。
【図８】第３の実施の形態にかかるフォルト検知処理処理を示すフローチャートである。
【図９】対応忘れ警報画面の表示例である。
【発明を実施するための形態】
【００１４】
次に、本発明の実施の形態について図面を参照して説明する。
［第１の実施の形態］
まず、図１を参照して、本発明の第１の実施の形態にかかるフォルト検知装置１０について説明する。図１は、第１の実施の形態にかかるフォルト検知装置の構成を示すブロック図である。
【００１５】
フォルト検知装置１０は、全体としてサーバ装置やパーソナルコンピュータなどの情報処理装置からなり、通信回線Ｌ１を介したデータ通信により、施設管理装置３０から取得した計測値データ３１に基づいて、施設で発生した非合理な状況、すなわちフォルトを検知する機能を有している。
【００１６】
施設管理装置３０は、全体としてサーバ装置やパーソナルコンピュータなどの情報処理装置からなり、通信回線Ｌ３を介したデータ通信により、設備４０に設定した各管理ポイントで、これら設備４０を制御するとともに、これら設備４０の状況を示す計測値データ３１を取得する機能を有している。
【００１７】
このフォルト検知装置１０には、主な機能部として、通信Ｉ／Ｆ部１１、操作入力部１２、画面表示部１３、記憶部１４、データ取得部２１、フォルト判定部２２、フォルト状況設定部２３、およびフォルト履歴表示部２４が設けられている。
【００１８】
通信Ｉ／Ｆ部１１は、通信回線Ｌ１を介して施設管理装置３０などの外部装置とデータ通信を行う機能を有している。
操作入力部１２は、キーボードやマウスなどの操作入力装置からなり、設備管理者の操作を検出する機能を有している。
画面表示部１３は、ＬＣＤなどの画面表示装置からなり、操作メニューや管理ポイント設定画面など、各機能部から出力されたデータを画面表示する機能を有している。
【００１９】
記憶部１４は、ハードディスクや半導体メモリなどの記憶装置からなり、フォルト検知処理や管理ポイント設定処理などの各種処理に用いる処理データやプログラムを記憶する機能を有している。
プログラムは、ＣＰＵに読み込まれて実行されることにより、フォルト検知処理や管理ポイント設定処理などの各種処理を実現するプログラムであり、外部装置や記録媒体から通信Ｉ／Ｆ部１１を介して予め読み込まれ、記憶部１４に格納される。
【００２０】
記憶部１４が記憶する主な処理情報として、施設管理装置３０から取得した計測値データ３１のほか、フォルト発生有無を判定するためのフォルト検知ロジック情報や、検知した各フォルトの内容を示すフォルト履歴情報がある。
【００２１】
データ取得部２１は、フォルト検知処理を実行する際、通信Ｉ／Ｆ部１１から通信回線Ｌ１を介して施設管理装置３０とデータ通信を行うことにより、施設管理装置３０から、計測値データ３１を取得して記憶部１４に保存する機能を有している。
【００２２】
フォルト判定部２２は、記憶部１４の計測値データ３１をフォルト検知ロジックに基づき集計し、得られた集計結果をその判定基準と比較することにより、フォルト発生の有無を検知する機能と、フォルト発生が検知された場合には、検知したフォルトの内容を記憶部１４のフォルト履歴情報に登録する機能とを有している。
【００２３】
図２は、フォルト履歴情報の構成例である。ここでは、検知したフォルトごとに、当該フォルトを検知した日時を示す発生日、当該フォルトの具体的内容を示すフォルト項目、当該フォルトの発生箇所、当該フォルトへの対応を担当する担当者、および当該フォルトへの対応状況が、それぞれ登録されている。
【００２４】
また、対応状況としては、設備管理者がフォルト検知を確認していない状況を示す「未確認」、設備管理者がフォルト検知を確認したが当該フォルトへの対応作業を開始していない状況を示す「確認済」、設備管理者がフォルトへの対応作業を開始している状況を示す「対応中」、および設備管理者がフォルトへの対応作業を完了した状況を示す「完了済」からなる４つの対応状況が設けられている。
【００２５】
フォルト状況設定部２３は、設備管理者による操作入力部１２でのフォルト状況設定操作に応じて、入力された個々のフォルトへの対応作業の状況を示す対応状況を、記憶部１４のフォルト履歴情報に設定する機能を有している。
【００２６】
フォルト履歴表示部２４は、記憶部１４からフォルト履歴情報を取得して、画面表示部１３で画面表示する機能と、フォルト履歴情報を画面表示する際、フォルトごとに当該フォルトの対応状況をそれぞれ表示する機能とを有している。
【００２７】
これら機能部のうち、データ取得部２１、フォルト判定部２２、フォルト状況設定部２３、およびフォルト履歴表示部２４は、ＣＰＵが記憶部１４からプログラムを読み込んで実行することにより実現される。
【００２８】
［第１の実施の形態の動作］
次に、図３を参照して、本実施の形態にかかるフォルト検知装置１０のフォルト検知処理について説明する。図３は、第１の実施の形態にかかるフォルト検知処理処理を示すフローチャートである。
【００２９】
フォルト検知装置１０は、操作入力部１２で検出した設備管理者による処理開始操作に応じて、図３のフォルト検知処理を実行する。なお、このフォルト検知処理に先だって、記憶部１４には、それまでに検知されたフォルトに関するフォルト履歴情報が登録されているものとする。
【００３０】
まず、フォルト履歴表示部２４は、記憶部１４からフォルト履歴情報を読み出して、フォルト履歴画面を生成し、画面表示部１３で画面表示する（ステップ１００）。
図４は、第１の実施の形態にかかるフォルト履歴画面の表示例である。このフォルト履歴画面５０は、表示するフォルトの種別、例えば「熱源」、「搬送」、「空調」、「全体」からなる種別を選択するための種別選択ボタン５１と、フォルト履歴情報のうちから選択されたフォルトの内容を一覧表示するためのフォルト発生履歴表示欄５２とが設けられている。
【００３１】
また、フォルト発生履歴表示欄５２には、フォルトごとに、フォルト履歴情報に登録されている各項目、すなわち当該フォルトを検知した日時を示す発生日、当該フォルトの具体的内容を示すフォルト項目、当該フォルトの発生箇所、当該フォルトへの対応を担当する担当者、および当該フォルトへの対応状況が、それぞれ表示されている。
したがって、設備管理者は、フォルト履歴画面５０において、各フォルトの対応状況、すなわち未確認のフォルトか確認済のフォルトか、さらには対応中か完了済かを容易に確認することができる。
【００３２】
次に、データ取得部２１は、フォルト検知タイミングが到来したか確認する（ステップ１０１）。フォルト検知は、日、週、あるいは月ごとに定期的に実行される。
ここで、フォルト検知タイミングが到来した場合（ステップ１０１：ＹＥＳ）、データ取得部２１は、通信Ｉ／Ｆ部１１から通信回線Ｌ１を介して施設管理装置３０とデータ通信を行うことにより、施設管理装置３０から、計測値データ３１を取得して記憶部１４に保存する（ステップ１０２）。
【００３３】
続いて、フォルト判定部２２は、記憶部１４の計測値データ３１をフォルト検知ロジックに基づき集計し、得られた集計結果をその判定基準と比較することにより、フォルト発生の有無を検知する（ステップ１０３）。
ここで、フォルト発生が検知されなかった場合（ステップ１０４：ＮＯ）、ステップ１００へ戻る。
【００３４】
一方、フォルト発生が検知された場合（ステップ１０４：ＹＥＳ）、フォルト判定部２２は、新規に検知したフォルトの対応状況を「未確認」に設定した後（ステップ１０５）、当該フォルトに関する内容を記憶部１４のフォルト履歴情報に登録し（ステップ１０６）、ステップ１００へ戻る。
【００３５】
ステップ１０１において、フォルト検知タイミングが到来していない場合（ステップ１０１：ＮＯ）、フォルト履歴表示部２４は、操作入力部１２によりフォルト状況設定要求操作があったか確認する（ステップ１１０）。
ここで、フォルト状況設定要求操作がなかった場合（ステップ１１０：ＮＯ）、ステップ１００へ戻る。
【００３６】
一方、フォルト状況設定要求操作があった場合（ステップ１１０：ＹＥＳ）、フォルト状況設定部２３は、フォルト状況設定要求操作で選択されたフォルトの対応状況を設定するためのフォルト状況設定画面を画面表示部１３で画面表示する（ステップ１１１）。
図４の例では、フォルト履歴画面５０の手前にフォルト状況設定画面５３がポップアップ表示されている。このフォルト状況設定画面５３には、対応状況を設定するための操作シンボルとして、ラジオボタンなど設定操作シンボル５４が設けられている。
【００３７】
フォルト状況設定部２３は、このようなフォルト状況設定画面５３を用いた操作入力部１２からのフォルト状況設定操作に応じて、設定された新たな対応状況を記憶部１４のフォルト履歴情報へ登録し（ステップ１１２）、ステップ１００へ戻る。
これにより、設定された新たな対応状況が、フォルト履歴画面５０に表示される。
【００３８】
［第１の実施の形態の効果］
このように、本実施の形態は、フォルト状況設定部２３が、フォルト状況設定操作に応じて入力された、個々のフォルトへの対応作業の状況を示す対応状況を、記憶部１４のフォルト履歴情報に設定し、フォルト履歴表示部２４が、記憶部１４のフォルト履歴情報を画面表示する際、フォルトごとに当該フォルトの対応状況をそれぞれ表示するようにしたものである。
【００３９】
これにより、設備管理者は、フォルト履歴画面５０において、各フォルトの対応状況、例えば未確認フォルトか確認済フォルトか、あるいは未対応フォルトか対応中フォルトかを容易に確認することができる。したがって、各フォルトの対応状況を容易に見分けることができ、設備管理者による作業効率を改善できるとともに、作業ミスの要因を低減させることができ、信頼性の高い設備管理業務を実施することが可能となる。
【００４０】
［第２の実施の形態］
次に、図５を参照して、本発明の第２の実施の形態にかかるフォルト検知装置１０について説明する。図５は、第２の実施の形態にかかるフォルト検知装置の構成を示すブロック図であり、前述した図１と同じまたは同等の部分には同一符号を付してある。
本実施の形態は、第１の実施の形態において、フォルト発生からの経過時間をフォルト履歴画面で表示するようにしたものである。
【００４１】
本実施の形態において、経過時間計算部２５は、記憶部１４のフォルト履歴情報に登録されている各フォルトの発生日時に基づいて、フォルトごとに当該フォルトの検知からの経過時間を計算する機能を有している。
【００４２】
フォルト履歴表示部２４は、前述した図３のステップ１００において、記憶部１４から読み出したフォルト履歴情報を画面表示する際、経過時間計算部２５で計算されたフォルトごとに当該フォルトの経過時間を表示する。
図６は、第２の実施の形態にかかるフォルト履歴画面の表示例である。ここでは、フォルト発生履歴表示欄５２において、フォルトごとに、発生日、フォルト項目、発生箇所、担当者、対応状況に加えて、経過時間が表示されている。経過時間については、１秒単位でもよいが、精度を要するものではないため、経過時間計算部２５において、１日単位、１週間単位、月単位など、設備管理者が視認しやすい単位で、丸め処理を行えばよい。
【００４３】
［第２の実施の形態の効果］
このように、本実施の形態は、経過時間計算部２５が、記憶部１４のフォルト履歴情報に登録されている各フォルトの発生日時に基づいて、フォルトごとに当該フォルトの検知からの経過時間を計算し、フォルト履歴表示部２４が、フォルト履歴情報を画面表示する際、経過時間計算部２５で計算されたフォルトごとに当該フォルトの経過時間を表示するようにしたものである。
【００４４】
これにより、設備管理者がフォルト履歴情報を画面表示で確認するごとに、フォルト対策が未完了のまま保持されている期間が経過時間として視認されるため、設備管理者に対して、各フォルトへの対応が完了できていないことを強く意識付けすることができる。したがって、設備管理者によるフォルト対応忘れを低減させることが可能となる。
【００４５】
［第３の実施の形態］
次に、図７を参照して、本発明の第２の実施の形態にかかるフォルト検知装置１０について説明する。図７は、第３の実施の形態にかかるフォルト検知装置の構成を示すブロック図であり、前述した図５と同じまたは同等の部分には同一符号を付してある。
本実施の形態は、第１の実施の形態において、フォルト発生からの経過時間が一定の警報しきい値時間に到達した場合、対応忘れ警報を画面表示するようにしたものである。
【００４６】
本実施の形態において、経過時間計算部２５は、記憶部１４のフォルト履歴情報に登録されている各フォルトの発生日時に基づいて、フォルトごとに当該フォルトの検知からの経過時間を計算する機能を有している。
フォルト対応忘れ通知部２６は、フォルト履歴情報に登録されている各フォルトのうち、対応状況が未対応を示すフォルトであって、かつ、当該フォルトの経過時間が警報しきい値時間に到達したフォルトについて、フォルト対応忘れを通知するための警報画面を表示する機能を有している。
【００４７】
［第３の実施の形態の動作］
次に、図８を参照して、本実施の形態にかかるフォルト検知装置１０のフォルト検知処理について説明する。図８は、第３の実施の形態にかかるフォルト検知処理処理を示すフローチャートであり、前述した図３と同じまたは同等の部分には同一符号を付してある。
【００４８】
フォルト検知装置１０は、操作入力部１２で検出した設備管理者による処理開始操作に応じて、図８のフォルト検知処理を実行する。なお、このフォルト状況表示処理に先だって、記憶部１４には、それまでに検知されたフォルトに関するフォルト履歴情報が登録されているものとする。
【００４９】
まず、経過時間計算部２５は、記憶部１４のフォルト履歴情報に登録されている各フォルトの発生日時に基づいて、フォルトごとに当該フォルトの検知からの経過時間を計算する（ステップ２００）。
次に、フォルト履歴表示部２４は、記憶部１４からフォルト履歴情報を読み出して、フォルト履歴画面を生成し、画面表示部１３で画面表示する（ステップ１００）。
【００５０】
続いて、フォルト対応忘れ通知部２６は、フォルト履歴情報に登録されている各フォルトのうち、対応状況が未対応を示すフォルト、すなわち未確認または確認済の状態であり、対応中へ移行していないフォルトであって、かつ、当該フォルトの経過時間が警報しきい値時間に到達したフォルトを検索する（ステップ３００）。
ここで、該当するフォルトが見つからなかった場合（ステップ３００：ＮＯ）、ステップ１０１へ移行する。
【００５１】
一方、該当するフォルトが見つかった場合（ステップ３００：ＹＥＳ）、フォルト対応忘れ通知部２６は、当該フォルトについて、フォルト対応忘れを通知するための対応忘れ警報画面を表示した後（ステップ３０１）、ステップ１０１へ移行する。なお、ステップ１０１以降は、図３と同等であり、ここでの説明は省略する。
【００５２】
図９は、対応忘れ警報画面の表示例である。ここでは、フォルト履歴画面５０の手前に対応忘れ警報画面５５がポップアップ表示されている。この対応忘れ警報画面５５には、対象となるフォルトに関する内容と、当該フォルトへの対応を促す警報メッセージが表示されている。
【００５３】
図９では、警報しきい値時間が２ヶ月の例が示されており、フォルト発生から２ヶ月経過した時点で、対応状況が未対応であるフォルトが、対応忘れ警報画面で警報表示されている。
また、警報しきい値時間については、２ヶ月以外でもよく、また１ヶ月と３ヶ月など、複数の警報しきい値時間を設定し、これら警報しきい値時間ごとに対応忘れ警報画面で警報表示するようにしてもよい。
【００５４】
なお、対応忘れ警報画面については、フォルトごとに表示の要否を設定するようにしてもよい。図９のフォルト履歴画面５０では、フォルトごとに、対応忘れ警報欄が設けられており、表示要否がＯＮ／ＯＦＦで切替設定可能となっている。
この場合、フォルト履歴表示部２４は、フォルト履歴情報に登録されている各フォルトのうち、対応状況が未対応を示すフォルトであって、かつ、当該フォルトの経過時間が警報しきい値時間に到達したフォルトであって、かつ、対応忘れ警報がＯＮ（表示要）であるフォルトを検索すればよい。
【００５５】
［第３の実施の形態の効果］
このように、本実施の形態は、経過時間計算部２５が、記憶部１４のフォルト履歴情報に登録されている各フォルトの発生日時に基づいて、フォルトごとに当該フォルトの検知からの経過時間を計算し、フォルト対応忘れ通知部２６が、フォルト履歴情報に登録されている各フォルトのうち、対応状況が未対応を示すフォルトであって、かつ、当該フォルトの経過時間が警報しきい値時間に到達したフォルトについて、フォルト対応忘れを通知するための警報画面を表示するようにしたものである。
【００５６】
これにより、フォルト発生から警報しきい値時間だけ経過した時点で、まだ未対応の状態にあるフォルトについて、自動的に警報画面が表示されるため、設備管理者に対して、フォルト対応忘れを通知することができる。したがって、設備管理者によるフォルト対応忘れを低減させることが可能となる。
【００５７】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００５８】
１０…フォルト検知装置、１１…通信Ｉ／Ｆ部、１２…操作入力部、１３…画面表示部、１４…記憶部、２１…データ取得部、２２…フォルト判定部、２３…フォルト状況設定部、２４…フォルト履歴表示部、２５…経過時間計算部、２６…フォルト対応忘れ通知部、３０…施設管理装置、３１…計測値データ、４０…設備。
【図１】
2014038400.tif 000003
【図２】
2014038400.tif 000004
【図３】
2014038400.tif 000005
【図４】
2014038400.tif 000006
【図５】
2014038400.tif 000007
【図６】
2014038400.tif 000008
【図７】
2014038400.tif 000009
【図８】
2014038400.tif 000010
【図９】
2014038400.tif 000011